(57)【要約】【課題】回折迷光の影響を抑制し得る。【解決手段】光ディスク装置１は、反射光ビームＬ１３を多段状に鋸歯形状の回折格子が形成されてなるブレーズドＨＯＥとしての分割導光部４７によって回折し、１次光ビームである分割光ビームＬ１７Ｃ及びＬ１７Ｄを受光する検出領域３２Ｃ及び３２Ｄと、反射光ビームＬ１２の光軸の延長線を中心としたとき、検出領域３２Ｃ及び３２Ｄよりも遠方に設けられ、反射光ビームＬ１４及びＬ１５を第２の受光部としての検出領域３２Ｉ及び３２Ｌによって受光し、分割導光部４７は、分割光ビームＬ１７Ｃ及びＬ１７Ｄを検出領域３２Ｃ及び３２Ｄに受光させつつ、強度の大きい高次の回折光ビームである回折迷光ＵＭを第２の受光部である検出領域３２Ｉ及び３２Ｌに受光させないように導光領域４７Ｃ及び４７Ｄに設けられた回折格子の格子角度が設定されるようにした。【選択図】図２３
2008287851.tif 000002
【特許請求の範囲】
【請求項１】
光源から出射した光ビームを、対物レンズを介して複数の情報記録層を有する光ディスクに対して照射する光ディスク装置において、
光ビームを照射する対象となる対象記録層によって反射されてなる反射光ビームを受光して受光量に応じたメイン検出信号を生成するメインフォトディテクタと、
上記メインフォトディテクタの近傍に設けられ、上記対象記録層以外の情報記録層によって反射されてなる層間迷光を上記メインフォトディテクタよりも小さい面積で上記層間迷光を受光することにより、上記メインフォトディテクタが受光する上記層間迷光と近い光強度でなる上記層間迷光のみを受光し、受光量に応じた迷光検出信号を生成する迷光用フォトディテクタと、
上記迷光検出信号に所定の係数を乗算した乗算信号を上記メイン検出信号における上記層間迷光の光量とし、上記メイン検出信号から上記層間迷光の光量を除去する信号処理部と
を具えることを特徴とする光ディスク装置。
【請求項２】
上記信号処理部は、
上記係数として、上記メインフォトディテクタと上記迷光用フォトディテクタとの面積比に応じた係数を上記迷光検出信号に乗算する
ことを特徴とする請求項１に記載の光ディスク装置。
【請求項３】
上記迷光用フォトディテクタは、
複数の迷光用検出領域を有しており、上記メインフォトディテクタを囲むようにそれぞれ配置される
ことを特徴とする請求項２に記載の光ディスク装置。
【請求項４】
上記迷光用フォトディテクタは、
矩形状に形成されており、上記対物レンズの中心が上記光ビームの光軸と重なるレンズ基準位置から上記光ディスクの半径方向に移動するのに伴い上記層間迷光が移動する移動方向に対して平行に長手方向が配置されている
ことを特徴とする請求項３に記載の光ディスク装置。
【請求項５】
上記反射光ビームを複数の分割光ビームに分割する分割導光部
を具え、
上記メインフォトディテクタは、
複数のメイン検出領域を有し、上記分割光ビームを対応するメイン検出領域でそれぞれ受光し、
上記迷光用フォトディテクタは、
上記層間迷光が上記分割導光部で分割されてなる分割層間迷光を受光する可能性のある位置に配置されている
ことを特徴とする請求項４に記載の光ディスク装置。
【請求項６】
上記メインフォトディテクタは、
複数のメイン検出領域を有し、
上記信号処理部は、
上記メイン検出領域のうち、一のメイン検出領域によるメイン検出信号から他のメイン検出領域によるメイン検出信号を減算することにより上記サーボ制御信号を生成し、
上記迷光用フォトディテクタは、
上記複数のレンズ移動量検出領域に対応させて複数設けられると共に、上記対物レンズの中心が上記光ビームの光軸と重なるレンズ基準位置において、各上記迷光用フォトディテクタがほぼ同一の光強度でなる上記層間迷光を受光するように配置されている
ことを特徴とする請求項４に記載の光ディスク装置。
【請求項７】
光源から出射した光ビームを、対物レンズを介して複数の情報記録層を有する光ディスクに対して照射する光ピックアップにおいて、
光ビームを照射する対象となる対象記録層によって反射されてなる反射光ビームを受光して受光量に応じたメイン検出信号を生成するメインフォトディテクタと、
上記メインフォトディテクタの近傍に設けられ、上記対象記録層以外の情報記録層によって反射されてなる層間迷光を上記メインフォトディテクタよりも小さい面積で上記層間迷光を受光することにより、上記メインフォトディテクタが受光する上記層間迷光と近い光強度でなる上記層間迷光のみを受光し、受光量に応じて生成される上記迷光信号が、所定の係数を乗算することにより上記メイン検出信号における上記層間迷光の光量として使用される迷光用フォトディテクタと
を具えることを特徴とする光ピックアップ。
【発明の詳細な説明】
【技術分野】
【０００１】
本発明は光ピックアップ及び光ピックアップに関し、例えば複数の情報記録層を有する多層光ディスクに対して情報の記録又は再生を行う光ディスク装置に適用して好適なものである。
【背景技術】
【０００２】
従来、光ディスク装置においては、光ディスクに対して音楽コンテンツや映像コンテンツ、或いは各種データ等の情報を記録し、また当該光ディスクから当該情報を再生するようになされたものが広く普及している。
【０００３】
実際上、光ディスク装置は、光ディスクの信号記録層に同心円状又は螺旋状に形成されたトラックに対して書込用の光ビームを照射することにより、所定形状のピットを形成して情報の記録を行う。また光ディスク装置は、当該トラックに読出用の光ビームを照射してその反射光ビームを複数の検出領域に分割されたフォトディテクタで受光する。
【０００４】
光ディスク装置は、当該反射光ビームの受光量に応じて検出領域ごとに検出信号を生成すると共に、当該検出信号に基づいて信号記録層に記録された情報を読み出すための再生ＲＦ信号を生成することにより、情報の再生を行うようになされている。
【０００５】
このとき光ディスク装置は、検出信号に基づいて光ディスクの信号記録層に光ビームを合焦させるためのフォーカスエラー信号を生成し、当該フォーカスエラー信号を基に当該光ビームの焦点距離を制御して光ディスクの信号記録層に光ビームを合焦させる、いわゆるフォーカス制御を行うようになされている。
【０００６】
また光ディスク装置は、検出信号に基づいて所定の信号処理を施すことにより、光ビームの照射位置と所望のトラックとのずれ量に応じたトラッキングエラー信号を生成し、当該トラッキングエラー信号を基に当該光ビームの照射位置を制御して当該ずれ量を削減させる、いわゆるトラッキング制御を行うようになされている。
【０００７】
ところで光ディスク装置の中には、信号記録層を複数有するいわゆる多層ディスクに記録された情報を再生し得るようになされたものがある。この光ディスク装置では、目的とする情報が記録された信号記録層（以下、これを対象記録層と呼ぶ）に光ビームを合焦するように照射するものの、他の信号記録層によって光ビームの一部が反射され、当該他の信号記録層によって反射された不要な迷光（以下、これを層間迷光と呼ぶ）が発生する。
【０００８】
光ディスク装置は、反射光ビームと共に層間迷光をフォトディテクタで受光することになるため、当該層間迷光による成分が検出信号に含まれてしまい、フォーカスエラー信号及びトラッキングエラー信号に影響を与えてしまう。
【０００９】
そこでフォトディテクタの近傍に迷光検出用フォトディテクタを設置して層間迷光による光量を表す迷光信号を生成し、当該迷光信号を検出信号から減算することにより、当該検出信号から層間迷光の影響を除去するようになされたものがある。
【特許文献１】特開２００５−３５３２５２公報
【発明の開示】
【発明が解決しようとする課題】
【００１０】
ところでかかる構成の光ディスク装置では、フォトディテクタにおける各検出領域と同一面積となる迷光検出用フォトディテクタを設置し、検出信号から迷光信号を単純に減算するようになされている。
【００１１】
しかしながらこの光ディスク装置では、迷光検出用フォトディテクタの面積が大きいため、特許文献１の図２に示すように、迷光検出量フォトディテクタの一部が層間迷光よりも外側に配置されることになり、このときフォトディテクタにおける層間迷光による受光量と、迷光検出用フォトディテクタにおける層間迷光の受光量とが大きく相違する可能性が生じる。
【００１２】
この場合光ディスク装置は、検出信号から層間迷光の影響を十分に除去できないという問題があった。
【００１３】
本発明は以上の点を考慮してなされたもので、検出信号から高い精度で層間迷光の影響を除去し得る光ディスク装置及び光ピックアップを提案しようとするものである。
【課題を解決するための手段】
【００１４】
かかる課題を解決するため本発明の光ディスク装置においては、光源から出射した光ビームを、対物レンズを介して複数の情報記録層を有する光ディスクに対して照射する光ディスク装置において、光ビームを照射する対象となる対象記録層によって反射されてなる反射光ビームを受光して受光量に応じたメイン検出信号を生成するメインフォトディテクタと、メインフォトディテクタの近傍に設けられ、対象記録層以外の情報記録層によって反射されてなる層間迷光をメインフォトディテクタよりも小さい面積で層間迷光を受光することにより、メインフォトディテクタが受光する層間迷光と近い光強度でなる層間迷光のみを受光し、受光量に応じた迷光検出信号を生成する迷光用フォトディテクタと、迷光検出信号に所定の係数を乗算した乗算信号をメイン検出信号における層間迷光の光量とし、メイン検出信号から層間迷光の光量を除去する信号処理部とを設けるようにした。
【００１５】
これにより、迷光検出信号に基づいて高い精度でメイン検出信号における層間迷光の光量を算出することができる。
【００１６】
また本発明の光ピックアップにおいては、光源から出射した光ビームを、対物レンズを介して複数の情報記録層を有する光ディスクに対して照射する光ピックアップにおいて、光ビームを照射する対象となる対象記録層によって反射されてなる反射光ビームを受光して受光量に応じたメイン検出信号を生成するメインフォトディテクタと、メインフォトディテクタの近傍に設けられ、対象記録層以外の情報記録層によって反射されてなる層間迷光をメインフォトディテクタよりも小さい面積で層間迷光を受光することにより、メインフォトディテクタが受光する層間迷光と近い光強度でなる層間迷光のみを受光し、受光量に応じて生成される迷光信号が、所定の係数を乗算することによりメイン検出信号における層間迷光の光量として使用される迷光用フォトディテクタとを設けるようにした。
【００１７】
これにより、迷光検出信号に基づいて高い精度でメイン検出信号における層間迷光の光量を算出することができる。
【発明の効果】
【００１８】
本発明によれば、迷光検出信号に基づいて高い精度でメイン検出信号における層間迷光の光量を算出することができ、かくして検出信号から層間迷光の影響を十分に除去し得る光ディスク装置及び光ピックアップを実現できる。
【発明を実施するための最良の形態】
【００１９】
以下、図面について、本発明の一実施の形態を詳述する。
【００２０】
（１）第１の実施の形態
（１−１）光ディスク装置の構成
図１において、光ディスク装置１は、全体としてＢＤ（Blu-ray Disc、登録商標）−ＲＥ（Rewritable）ディスクやＢＤ−ＲＯＭ（Read Only Memory）ディスク等でなる光ディスク１００に対して音楽コンテンツ、映像コンテンツ又は各種データ等の情報を記録し、また当該光ディスク１００から当該情報を再生するようになされている。
【００２１】
システムコントローラ１１は、光ディスク装置１全体を統括制御するようになされており、光ディスク１００が装填された状態で、操作部１２より当該光ディスク１００からの情報の再生命令を取得すると、当該光ディスク１００の信号記録層に記録されている情報を特定するためのアドレス情報ＩＡと共に、情報読出命令ＭＲを駆動制御部１３へ送出する。
【００２２】
駆動制御部１３は、システムコントローラ１１からの情報読出命令に応じて、スピンドルモータ１４を制御することにより光ディスク１００を所定の回転速度で回転させると共に、当該データ読出命令ＭＲ及びアドレス情報ＩＡを基に送りモータ１５を制御することにより、光ピックアップ２０を当該光ディスク１００の径方向に移動させ、当該光ディスク１００の信号記録層におけるアドレス情報ＩＡに応じたトラック（以下、これを所望トラックと呼ぶ）に光ビームを集光した状態で照射させる。
【００２３】
このとき光ピックアップ２０は、光ディスク１００に照射した光ビームが反射されてなる反射光ビームを受光し、その光量に応じた検出信号を生成し、信号処理部１７へ送出する。
【００２４】
信号処理部１７は、この検出信号に基づいて所望トラックに対する光ビームの照射位置のずれ量に応じたトラッキングエラー信号ＳＴＥと光ディスク１００の信号記録層に対する光ビームの焦点のずれ量に応じたフォーカスエラー信号ＳＦＥとを生成してこれらを駆動制御部１３へ送出すると共に、当該検出信号を基に再生ＲＦ信号ＳＲＦを生成して信号変復調部１８へ送出する。
【００２５】
駆動制御部１３は、トラッキングエラー信号ＳＴＥ及びフォーカスエラー信号ＳＦＥに基づいたトラッキング制御信号ＣＴ及びフォーカス制御信号ＣＦを生成し、これらを光ピックアップ２０へ送出する。これに応じて光ピックアップ２０は、トラッキング制御及びフォーカス制御を行い、光ビームの焦点を光ディスク１００の所望トラックに合わせるようになされている。
【００２６】
信号変復調部１８は、再生ＲＦ信号ＳＲＦに対して所定の復調処理や復号化処理等を施すことにより情報を再生し、これを外部機器（図示せず）へ送出する。
【００２７】
また光ディスク装置１は、信号変復調部１８に入力された記録信号に対して所定の変調処理を施し、これを信号処理部１７により記録用の信号に変換した後、光ピックアップ２０から当該記録用の信号に応じた記録用ビームを出射させることにより、記録信号に応じた情報を光ディスク１００に記録する。
【００２８】
このように光ディスク装置１は、光ピックアップ２０から光ディスク１００の信号記録層における所望トラックに対して焦点を合わせた光ビームを照射することにより、所望の情報を再生または記録し得るようになされている。
【００２９】
（１−２）光ピックアップの構成
図２に示すように、光ピックアップ２０は、光集積素子２１の内部から出射された出射光ビームＬ１１（図示せず）を、コリメータレンズ２２により平行光に変換し、１／４波長板２３により直線偏光から円偏光に変換して立ち上げミラー２４により光ディスク１００（図示せず）が存在する鉛直前方向へ立ち上げ、対物レンズ２５により当該出射光ビームＬ１１を収束光に変換する。
【００３０】
そして光ピックアップ２０は、アクチュエータなどでなる駆動部２７によって光ディスク１００の半径方向となるトラッキング方向及び当該光ディスク１００と近接又は離隔するフォーカス方向に対物レンズ２５を移動させることにより、当該光ディスク１００における信号記録層上の所望トラックに合焦させる。
【００３１】
また光ピックアップ２０は、光ディスク１００の信号記録層において出射光ビームＬ１１が反射された反射光ビームＬ１２を対物レンズ２５へ入射させて発散光から平行光に変換し、立ち上げミラー２４により光集積素子２１が設けられた下方向へ寝かせ、１／４波長板２３により円偏光から直線偏光に変換しコリメータレンズ２２により収束光に変換した後、当該光集積素子２１へ入射させる。
【００３２】
（１−２−１）光集積素子における出射光ビームの光路
実際上、光集積素子２１は、図３（Ａ）に示すように、ベース部３０を中心に構成されており、当該ベース部３０の下面側に、レーザダイオード３１が取り付けられるようになされている。
【００３３】
ベース部３０の上側には、フォトディテクタ３２が取り付けられると共に、スペーサ３３が取り付けられ、その上側にそれぞれ薄板状に構成された板状部材３４Ａ〜３４Ｄが積層されてなる偏光フィルタ部３４が取り付けられ、さらにその上側に偏光プリズム３５が取り付けられている。
【００３４】
図３（Ｂ）に示すように、偏光フィルタ部３４の板状部材３４Ａ〜３４Ｄには、各種ホログラムや波長板等が形成されている。偏光フィルタ部３４には、各種ホログラムや波長板等が組み合わされることにより、１／２波長板３９、特許文献２に記載された手法により出射光ビームＬ１１の強度を減衰させる機能および強度分布を補正する機能を備えるアッテネータ部４０、及び反射光ビームＬ１２を通過する際の分割導光パターンを切り換える分割導光パターン切換部４１が構成されている。
【特許文献２】特開２００２−２６０２７２公報
【００３５】
光集積素子２１は、システムコントローラ１１（図１）の制御に基づき、レーザダイオード３１から出射光ビームＬ１１を上方へ出射させ、ベース部３０を上下に貫通するように設けられた貫通穴及びスペーサ３３の内部に設けられた空洞部を通過させて、当該出射光ビームＬ１１を偏光フィルタ部３４へ入射させる。
【００３６】
このとき偏光フィルタ部３４の板状部材３４Ａは、出射光ビームＬ１１をそのまま通過させ、板状部材３４Ｂに設けられた１／２波長板３９により出射光ビームＬ１１の偏光面を所定の角度だけ回転させて偏光方向を紙面左水平右方向とし、板状部材３４Ｂと板状部材３４Ｃとの間に設けられたアクティブ波長板４２へ入射させる。
【００３７】
アクティブ波長板４２は、液晶素子でなり、システムコントローラ１１（図１）の制御に基づいて出射光ビームＬ１１の中心から所定半径部分の領域における偏光面を所望の角度だけ回転させ、板状部材３４Ｄの偏光ホログラム４３へ入射させる。偏光ホログラム４３は、出射光ビームＬ１１における特定の方位の偏光成分でなる光ビームを回折させて偏光プリズム３５へ入射させるようになされている。
【００３８】
ここで光集積素子２１は、光ディスク１００への信号の記録時に、アクティブ波長板４２を通過する出射光ビームＬ１１の中心から所定半径部分の領域の偏光面の相対的な回転を略０度（紙面左水平右方向に平行な方向）に調整する。このため光集積素子２１は、偏光ホログラム４３による回折を発生させず、偏光プリズム３５の偏光面３５Ａにおいて出射光ビームＬ１１の光量のほぼ全てを透過させ、当該光集積素子２１の上方に配置されたコリメータレンズ２２（図１）の方向へ出射することになる。これにより光集積素子２１は、光ディスク１００への信号の記録時に、レーザパワーを効率良く使用することができる。
【００３９】
また光集積素子２１は、光ディスク１００に記録された信号の読取時に、アクティブ波長板４２を通過する出射光ビームＬ１１の中心から所定半径部分の領域の偏光面に相対的な角度を与えるように調整する。このため光集積素子２１は、出射光ビームＬ１１のうち強度が強い中心部分のみを選択的に偏光ホログラム４３により回折させ、回折された光ビームを偏光プリズム３５の偏光面３５Ａにおいて反射させ、図の水平左方向に配置されたアッテネータ部動作確認用フォトディテクタ３６に入射させる。さらに光集積素子２１は、出射光ビームＬ１１の中心部における強度を減衰させた状態で偏光プリズム３５の偏光面３５Ａを透過させ、当該光集積素子２１の上方に配置されたコリメータレンズ２２（図２）の方向に出射させる。
【００４０】
これにより光集積素子２１は、光ディスク１００に記録された信号の読取時に、当該光ディスク１００の記録面上で同一の読取パワーを発生させた場合におけるレーザダイオード３１の出射パワーを上昇させ、レーザノイズを相対的に低減させることができると共に、出射光ビームＬ１１の強度分布をより均一化して光ディスク１００の記録面上における光スポットの集光性能を改善させることができる。
【００４１】
さらに、システムコントローラ１１（図１）は、アッテネータ部動作確認用フォトディテクタ３６に入射する光量を検出することにより、アクティブ波長板４２の動作状態を監視している。これによりシステムコントローラ１１は、アッテネータ部４０により出射光量が減衰されている状態で光ディスク１００に対して記録パワーの出射光ビームＬ１１を照射させるといった、レーザダイオード３１の出射光量の定格を超える動作が起きることを抑制し得るようになされている。
【００４２】
（１−２−２）光集積素子における反射光ビームの光路
一方、光集積素子２１（図３（Ａ））は、偏光プリズム３５の上方から入射される反射光ビームＬ１２を偏光面３５Ａ及び反射面３５Ｂにおいてそれぞれ反射させることにより、当該反射光ビームＬ１２を板状部材３４Ｄに設けられたフォーカスサーボ用ホログラム４４へ入射させる。
【００４３】
板状部材３４Ｄ（図３（Ｂ））の下面側には、偏光ホログラム４３に加えてフォーカスサーボ用ホログラム４４が形成されている。このフォーカスサーボ用ホログラム４４は、反射光ビームＬ１２を０次光でなる反射光ビームＬ１３、負のパワーが付与された＋１次光でなる反射光ビームＬ１４及び正のパワーが付与された−１次光でなる反射光ビームＬ１５に分離させると共に、板状部材３４Ｃへ入射させる。
【００４４】
板状部材３４Ｂと板状部材３４Ｃとの間には、アクティブ波長板４２に加えて液晶素子でなるアクティブ波長板４５が形成されている。アクティブ波長板４５は、システムコントローラ１１（図１）の制御に基づいて液晶セルへの印加電圧を変化させることにより、反射光ビームＬ１３〜Ｌ１５の偏光面を任意に回転させ、これを板状部材３４Ｂへ入射させるようになされている。
【００４５】
すなわちアクティブ波長板４５は、液晶セルへの印加電圧に応じて、例えば図の水平方向に偏光された反射光ビームＬ１３〜Ｌ１５を透過させるか、或いは図の鉛直方向（すなわち図の手前側又は奥側の方向）に偏光された反射光ビームＬ１３〜Ｌ１５を透過させるかを切り換えるようになされている。
【００４６】
板状部材３４Ｂの下面側及び板状部材３４Ａの上面側には、偏光ホログラムでなる分割導光部４６及び４７が形成されている。
【００４７】
分割導光部４６は、図４（Ａ）に示すように、４つの導光領域４６Ａ〜４６Ｄに分割されており、反射光ビームＬ１３（図３（Ｂ））が当該分割導光部４６を透過する際の透過断面Ｒ１１を４つの透過断面Ｒ１１Ａ〜Ｒ１１Ｄに分割するようになされている。
【００４８】
実際上、分割導光部４６には、図５（Ａ）に示すように、４つの導光領域４６Ａ〜４６ＤにそれぞれブレーズドＨＯＥ（Holographic Optical Element）でなる偏光ホログラムが形成されており、反射光ビームＬ１３（図３（Ｂ））を分割した分割光ビームＬ１６Ａ〜Ｌ１６Ｄをそれぞれ水平左方向又は水平右方向へ回折させるようになされている。因みに分割導光部４６は板状部材３４Ｂの下面に形成されているが、説明の都合上、図５（Ａ）では当該分割導光部４６を上側から見た様子を表している。
【００４９】
ここで図５（Ｂ）及び（Ｃ）に断面を示すように、導光領域４６Ａ及び４６Ｄは、それぞれ反射光ビームＬ１３のうち透過断面Ｒ１１Ａ及びＲ１１Ｄ（図５（Ａ））に相当する部分をそれぞれ水平左方向又は水平右方向へ比較的小さく回折させることにより、それぞれ水平左方向又は水平右方向へ比較的中央寄りに進行する分割光ビームＬ１６Ａ及びＬ１６Ｄを生成する。
【００５０】
また導光領域４６Ｂ及び４６Ｃは、それぞれ反射光ビームＬ１３のうち透過断面Ｒ１１Ｂ及びＲ１１Ｃ（図５（Ａ））に相当する部分をそれぞれ水平左方向及び水平右方向へ比較的大きく回折させることにより、水平左方向及び水平右方向の比較的外側へ進行する分割光ビームＬ１６Ｂ及びＬ１６Ｃを生成する。
【００５１】
一方、分割導光部４７は、図４（Ｂ）に示すように、７つの導光領域４７Ａ〜４７Ｇに分割されており、反射光ビームＬ１３（図３（Ｂ））が当該分割導光板４７を透過する際の透過断面Ｒ１２を７つの透過断面Ｒ１２Ａ〜Ｒ１２Ｇに分割するようになされている。
【００５２】
実際上、分割導光部４７の上面には、図６（Ａ）に示すように、導光領域４７Ｇを除く６つの導光領域４７Ａ〜４７ＦにそれぞれブレーズドＨＯＥでなる偏光ホログラムが形成されており、反射光ビームＬ１３（図３（Ｂ））を分割した分割光ビームＬ１７Ａ〜Ｌ１７Ｆをそれぞれ図中水平左方向又は水平右方向へ回折させ、また導光領域４７Ｇを透過した分割光ビームＬ１７Ｇを中央方向へ進行させるようになされている。
【００５３】
ここで図６（Ｂ）及び（Ｃ）に断面を示すように、導光領域４７Ａ、４７Ｅ、４７Ｂ及び４７Ｆは、それぞれ反射光ビームＬ１３のうち透過断面Ｒ１２Ａ、Ｒ１２Ｅ、Ｒ１２Ｂ及びＲ１２Ｆ（図４（Ｂ））に相当する部分をそれぞれ水平左方向又は水平右方向へ比較的小さく回折させることにより、それぞれ水平左方向又は水平右方向へ比較的中央寄りに進行する分割光ビームＬ１７Ａ、Ｌ１７Ｅ、Ｌ１７Ｂ及びＬ１７Ｆを生成する。
【００５４】
また導光領域４７Ｃ及び４７Ｄは、それぞれ反射光ビームＬ１３のうち透過断面Ｒ１２Ｃ及びＲ１２Ｄ（図４（Ｂ））に相当する部分をそれぞれ水平左方向又は水平右方向へ比較的大きく回折させることにより、水平左方向又は水平右方向の比較的外側へ進行する分割光ビームＬ１７Ｃ及びＬ１７Ｄを生成する。
【００５５】
ところで分割導光部４６及び分割導光部４７は、それぞれ複屈折性を有する材料で構成されると共に、複屈折における反射光ビームＬ１３〜Ｌ１５の各偏光方向に対する屈折率が互いに異なるように、換言すれば複屈折における進相軸及び遅相軸の方向が互いに異なるように構成されている。
【００５６】
このため、例えば図３（Ｂ）の左水平右方向に偏光された反射光ビームＬ１３が入射された場合、板状部材３４Ｂに形成された分割導光部４６は当該反射光ビームＬ１３に対して回折作用するものの、板状部材３４Ａに形成された分割導光部４７は当該反射光ビームＬ１３に対して回折作用せず、分割光ビームＬ１６Ａ〜Ｌ１６Ｄをそのまま透過させる。
【００５７】
一方、例えば図３（Ｂ）の鉛直方向（すなわち紙面手前側又は奥側の方向）に偏光された反射光ビームＬ１３が入射された場合、これと反対に、板状部材３４Ｂに形成された分割導光部４６は当該反射光ビームＬ１３に対して回折作用せずにそのまま透過させ、板状部材３４Ａに形成された分割導光部４７は当該反射光ビームＬ１３に対して回折作用することにより分割光ビームＬ１７Ａ〜Ｌ１７Ｇに分割する。
【００５８】
このため光ピックアップ２０の分割導光パターン切換部４１（図３（Ｂ））は、アクティブ波長板４５の液晶セルに印加する電圧を変更して反射光ビームＬ１３の偏光方向を切り換えることにより、当該反射光ビームＬ１３に対して分割導光部４６により回折させるか、或いは分割導光部４７により回折させるかを切り換えることができる。
【００５９】
すなわち光ピックアップ２０の分割導光パターン切換部４１は、システムコントローラ１１の制御に基づいてアクティブ波長板４５の液晶セルへの印加電圧を変更することにより、反射光ビームＬ１３を分割光ビームＬ１６Ａ〜Ｌ１６Ｄに分割するか、或いは分割光ビームＬ１７Ａ〜Ｌ１７Ｇに分割するかといった、反射光ビームＬ１３の分割パターンを切り換えることができる。
【００６０】
また、光ピックアップ２０の分割導光パターン切換部４１は、例えば分割導光部４６又は４７をメカニカルに切り換える場合と比較して、切換動作用の空間を設ける必要がないため、極めて小型に構成することができる。
【００６１】
（１−２−３）フォトディテクタの構成
フォトディテクタ３２は、図７に示すように、分割光ビームＬ１６Ａ〜Ｌ１６Ｄ又はＬ１７Ａ〜Ｌ１７Ｇが照射される上面に、それぞれ矩形状でなる検出領域３２Ａ〜３２E、３２Ｘ１、３２Ｘ２、３２Ｙ１及び３２Ｙ２、並びに３２H〜３２Mが設けられている。
【００６２】
検出領域３２Ｅは、対物レンズ２５の中心が出射光ビームＬ１１の光軸と重なるレンズ基準位置に当該対物レンズ２５が存在するときに、仮に分割導光部４６又は４７が存在しなかった場合に当該フォトディテクタ３２に到達する反射光ビームＬ１３の光軸の位置と重なる中心点Ｕ２にその中心が重なるように配置されている。検出領域３２Ａ及び検出領域３２Ｂは、検出領域３２Ｅ左側近傍位置及び右側近傍位置にそれぞれ配置され、検出領域３２Ｃ及び検出領域３２Ｄは、それぞれ当該検出領域３２Ａ、左隣及び検出領域３２Ｂの右隣に配置されている。
【００６３】
検出領域３２Ｘ１、３２Ｘ２、３２Ｙ１及び３２Ｙ２は、層間迷光（詳しくは後述する）を検出するために設けられており、検出領域３２Ａ及び３２Ｂの鉛直前方向又は鉛直後方向にそれぞれ配置されている。
【００６４】
検出領域３２Ｈ〜３２Ｍは、ＳＳＤ（Spot Size Detection）法に従ってフォーカスエラー信号ＳＦＥを生成するために設けられている。検出領域３２Ｈ、３２Ｉ及び３２Ｊは、矩形状の領域が鉛直方向に３分割されてなると共に検出領域３２Ｄの左外方に配置され、また検出領域３２Ｋ、３２Ｌ及び３２Ｍは、矩形状の領域が鉛直方向に３分割されてなると共に検出領域３２Ｃの右外方に配置されている。
【００６５】
因みにＳＳＤ法では、＋１次光と−１次光とにおける倍率の違いにより、フォトディテクタ３２の検出領域３２Ｈ、３２Ｉ及び３２Ｊの鉛直方向における幅と、フォトディテクタ３２の検出領域３２Ｋ、３２Ｌ及び３２Ｍの鉛直方向における幅とが同等である場合、生成されるフォーカスエラー信号ＳＦＥが非対称となってしまう（特許文献３参照）。そこでフォトディテクタ３２は、検出領域３２Ｈ、３２Ｉ及び３２Ｊの鉛直方向における幅が、検出領域３２Ｋ、３２Ｌ及び３２Ｍの鉛直方向における幅よりも広くなるようになされることにより、フォーカスエラー信号ＳＦＥが生成された際の対称性を向上させることができる。
【００６６】
フォトディテクタ３２は、各検出領域３２Ａ〜３２Ｍにそれぞれ形成されたビームスポットの光量に応じて光電変換処理を行うことによりそれぞれ電気信号を生成し、それぞれをアンプ（図示せず）によって増幅することにより１５種類の検出信号を生成するようになされている。
【００６７】
（１−３）反射光ビームの検出
光ディスク装置１は、ＢＤ−ＲＯＭに対してはＤＰＤ法によるトラッキング制御を行う一方、ＢＤ−ＲＥに対しては１スポットＰＰ法によるトラッキング制御を行う。このため分割導光部４６又は４７を切り替えることにより、光ディスク装置１に装填された光ディスク１００の種類に応じて、トラッキング制御を切り替えるようになされている。  
【００６８】
（１−３−１）ＢＤ−ＲＥに対する信号の生成
（１−３−１−１）再生ＲＦ信号の生成及び1ビームＰＰ法によるトラッキングエラー信号の生成
光ディスク装置１の光ピックアップ２０（図１）は、光ディスク１００がＢＤ−ＲＥディスクであった場合、図８（Ｂ）に示すように、アクティブ波長板４５の液晶セルへの印加電圧を変更することにより、偏光方向が鉛直方向となった反射光ビームＬ１３〜Ｌ１５を透過させる。
【００６９】
このとき光ピックアップ２０は、分割導光部４７により反射光ビームＬ１３を分割光ビームＬ１７Ａ〜Ｌ１７Ｇに分割し、これらをフォトディテクタ２２の検出領域３２Ａ〜３２Ｅへ照射させる。
【００７０】
この結果、フォトディテクタ３２の検出領域３２Ａ〜３２Ｅには、図９（Ｂ）に示すように、透過断面Ｒ１２Ａ〜Ｒ１２Ｇ（図４（Ｂ））とそれぞれほぼ相似形でなるビームスポットＰ１２Ａ〜Ｐ１２Ｇが形成される。
【００７１】
この場合、分割導光部４７の導光領域４７Ａ及び４７Ｅ（図６（Ａ））により分割光ビームＬ１７Ａ及びＬ１７Ｅが同一の方向へ回折されるため、フォトディテクタ３２の検出領域３２Ａには、分割光ビームＬ１７ＡによるビームスポットＰ１２Ａ及び分割光ビームＬ１７ＥによるビームスポットＰ１２Ｅが形成される。同様に、導光領域４７Ｂ及び４７Ｆ（図６（Ａ））により分割光ビームＬ１７Ｂ及びＬ１７Ｆが同一の方向へ回折されるため、フォトディテクタ３２の検出領域３２Ｂには、分割光ビームＬ１７ＢによるビームスポットＰ１２Ｂ及び分割光ビームＬ１７ＦによるビームスポットＰ１２Ｆが形成される。
【００７２】
また、フォトディテクタ３２の検出領域３２Ｃ、３２Ｄ及び３２Ｅには、分割光ビームＬ１７Ｃ、Ｌ１７Ｄ及びＬ１７ＧによるビームスポットＰ１２Ｃ、Ｐ１２Ｄ及びＰ１２Ｇがそれぞれ形成される。
【００７３】
これによりフォトディテクタ３２の検出領域３２Ａ〜３２Ｄは、それぞれビームスポットＰ１２Ａ＋Ｐ１２Ｅ、Ｐ１２Ｂ＋Ｐ１２Ｆ、Ｐ１２Ｃ及びＰ１２Ｄの各光量に応じた４種類の検出信号Ｓ１２Ａ〜Ｓ１２Ｄを生成する。
【００７４】
これに応じて光ディスク装置１（図１）は、検出信号Ｓ１２Ａ〜Ｓ１２Ｄを用いてトラッキングエラー信号ＳＴＥ（詳しくは後述する）を生成する。
【００７５】
さらに光ディスク装置１は、検出信号Ｓ１２Ｃ及びＳ１２Ｄを基に（１）式に従いトラックのグルーブ構造におけるウォブルの検出状態を表すウォッブル信号ＷＢを生成し、ＢＤ−ＲＥディスクである光ディスク１００（図１）に対応したアドレス情報読み出しを行う。
【００７６】
【数１】
2008287851.tif 000003
【００７７】
さらに光ディスク装置１（図１）は、検出信号Ｓ１２Ａ〜Ｓ１２Ｅを用いた（２）式に従い再生ＲＦ信号ＳＲＦを生成するようになされている。
【００７８】
【数２】
2008287851.tif 000004
【００７９】
（１−３−１−２）ＳＳＤ法によるフォーカスエラー信号の生成
またフォトディテクタ３２の検出領域３２Ｈ〜３２Ｊ及び３２Ｋ〜３２Ｍには、反射光ビームＬ１４及びＬ１５に基づくビームスポットＰ１２Ｈ及びＰ１２Ｋが形成されている。フォトディテクタ３２は、ビームスポットＰ１２Ｈ及びＰ１２Ｋのうち、当該検出領域３２Ｈ〜３２Ｊ及び３２Ｋ〜３２Ｍにそれぞれ照射される部分の光量を基に検出信号Ｓ１２Ｈ〜Ｓ１２Ｊ及びＳ１２Ｋ〜Ｓ１２Ｍを生成する。
【００８０】
これに応じて光ディスク装置１（図１）は、検出信号Ｓ１２Ｈ〜Ｓ１２Ｊ及びＳ１２Ｋ〜Ｓ１２Ｍと定数αとを用いて、（３）式に従いフォーカスエラー信号ＳＦＥを生成し、当該フォーカスエラー信号ＳＦＥを基にフォーカス制御を行うようになされている。
【００８１】
【数３】
2008287851.tif 000005
【００８２】
（１−３−２）ＢＤ−ＲＯＭに対する信号の生成
光ディスク装置１の光ピックアップ２０（図１）は、光ディスク１００がＢＤ−ＲＯＭディスクであった場合、図８（Ａ）に示すように、アクティブ波長板４５の液晶セルへの印加電圧を変更することにより、偏光方向が水平方向となった反射光ビームＬ１３〜Ｌ１５を透過させる。
【００８３】
このとき光ピックアップ２０は、分割導光部４６により反射光ビームＬ１３を分割光ビームＬ１６Ａ〜Ｌ６Ｄに分割し、それぞれフォトディテクタ３２の検出領域３２Ａ〜３２Ｄへそれぞれ照射させる。
【００８４】
この結果、フォトディテクタ３２の検出領域３２Ａ〜３２Ｄには、図９（Ａ）に示すように、透過断面Ｒ１１Ａ〜Ｒ１１Ｄ（図４（Ａ））とそれぞれほぼ相似形でなるビームスポットＰ１１Ａ〜Ｐ１１Ｄが形成され、当該ビームスポットＰ１１Ａ〜Ｐ１１Ｄの各光量に応じた検出信号Ｓ１１Ａ〜Ｓ１１Ｄを生成する。
【００８５】
これに応じて光ディスク装置１（図１）は、検出信号Ｓ１１Ａ〜Ｓ１１Ｄの位相差を用いてトラッキングエラー信号ＳＴＥ１１を算出し、当該トラッキングエラー信号ＳＴＥ１１を基に、ＢＤ−ＲＯＭディスクである光ディスク１００（図１）に対応したＤＰＤ法によるトラッキング制御を行うようになされている。
【００８６】
またフォトディテクタ３２の検出領域３２Ｈ〜３２Ｊ及び３２Ｋ〜３２Ｍには、反射光ビームＬ１４及びＬ１５に基づくビームスポットＰ１１Ｈ及びＰ１１Ｋが形成されており、当該検出領域３２Ｈ〜３２Ｊ及び３２Ｋ〜３２Ｍにおける検出信号Ｓ１１Ｈ〜Ｓ１１Ｊ及びＳ１１Ｋ〜Ｓ１１Ｍを生成する。
【００８７】
これに応じて光ディスク装置１（図１）は、検出信号Ｓ１１Ｈ〜Ｓ１１Ｊ及びＳ１１Ｋ〜Ｓ１１Ｍと所定の定数αとを用いた（４）式に従いフォーカスエラー信号ＳＦＥを生成し、当該フォーカスエラー信号ＳＦＥを基にフォーカス制御を行うようになされている。
【００８８】
【数４】
2008287851.tif 000006
【００８９】
さらに光ディスク装置１（図１）は、検出信号Ｓ１１Ａ〜Ｓ１１Ｄを用いた（５）式に従い再生ＲＦ信号ＳＲＦを生成するようになされている。
【００９０】
【数５】
2008287851.tif 000007
【００９１】
（１−４）層間迷光による影響の低減
（１−４−１）層間迷光の発生
ところで、光ディスク１００のなかには、２層の信号記録層を有するものがある（以下、これを２層ディスクと呼ぶ）。光ディスク装置１は、この２層ディスクでなる光ディスク１００を再生する場合、目的とするデータが記録されている信号記録層（以下、これを対象記録層と呼ぶ）に対して出射光ビームＬ１１を合焦させることにより、当該対象記録層からデータを読み出すようになされている。
【００９２】
このとき光ディスク装置１は、光ピックアップ２０の内部において、図１０に模式的に示すように、反射光ビームＬ１３を分割した分割光ビームＬ１６Ａ〜Ｌ１６Ｄ又はＬ１７Ａ〜Ｌ１７Ｇをフォトディテクタ３２の上面に照射させることになる。
【００９３】
しかしながら光ディスク装置１では、出射光ビームＬ１１の一部が対象記録層と異なる信号記録層（以下、これを非対象記録層と呼ぶ）において反射された光ビーム、いわゆる層間迷光もフォトディテクタ３２に到達することになる。
【００９４】
例えば光ディスク装置１では、対象記録層が光ディスク１００の奥側の信号記録層、すなわちＬ０層である場合、図１１に示すように、非対象記録層であるＬ１層による層間迷光である迷光ビームＬ２１が分割導光部４６及び４７に対して収束光として入射する。
【００９５】
これに対して光ディスク装置１では、対象記録層が光ディスク１００のＬ１層である場合、図１０と対応する図１２に示すように、非対象記録層であるＬ０層による層間迷光である迷光ビームＬ２２が分割導光部４６及び４７に対して発散光として入射する。
【００９６】
ここで光ピックアップ２０の分割導光部４７は、図６（Ａ）と対応する図１３に示すように、中心部分にブレーズドＨＯＥを有していない導光領域４７Ｇが、また導光領域４７Ｇの両脇（水平左右方向）にブレーズドＨＯＥでなる導光領域４７Ｃ及び４７Ｄが、導光領域４７Ｇの鉛直前後方向に同じくブレーズドＨＯＥでなる導光領域４７Ａ、４７Ｂ、４７Ｅ及び４７Ｆがそれぞれ配置されている。
【００９７】
因みに図１３には、反射光ビームＬ１３が分割導光部４７を透過する際の透過断面Ｒ１２に加えて、迷光ビームＬ２１（図１１）が分割導光部４７を透過する際の透過断面Ｒ２１及び迷光ビームＬ２２（図１２）が分割導光部４７を透過する際の透過断面Ｒ２２を示している。
【００９８】
そして分割導光部４７は、図９（Ｂ）に示したように、透過断面Ｒ１２（図４（Ｂ））のうち上下の部分である透過断面Ｒ１２Ａ、Ｒ１２Ｂ、Ｒ１２Ｅ及びＲ１２Ｆに対応するビームスポットＰ１２Ａ、Ｐ１２Ｂ、Ｐ１２Ｅ及びＰ１２Ｆを比較的中心点Ｕ２（図７）寄りの検出領域３２Ａ及び３２Ｂに照射させ、透過断面Ｒ１２のうち中段の透過断面Ｒ１２Ｃ及びＲ１２Ｄ対応するビームスポットＰ１２Ｃ及びＰ１２Ｄを比較的外側の検出領域３２Ｃ及び３２Ｄに照射させている。
【００９９】
さらに分割導光部４７は、導光領域４７Ｇを通過する層間迷光をそのまま透過する一方、導光領域４７Ｃ及び４７Ｄを通過する層間迷光を比較的大きく水平左右方向にそれぞれ回折し、導光領域４７Ａ、４７Ｂ、４７Ｅ及び４７Ｆを通過する層間迷光を比較的小さく水平左右方向にそれぞれ回折する。
【０１００】
これにより光ピックアップ２０では、例えば対象記録層が光ディスク１００のＬ０層である場合、図１４（Ａ）及び（Ｂ）に示すように、Ｌ１層による層間迷光ＬＢ１のうち、分割導光部４７Gを通過した迷光中央領域ＬＢＧ１Ｇが検出領域３２Ａ及び３２Ｂの一部に照射されることになる。
【０１０１】
また光ピックアップ２０では、例えば対象記録層が光ディスク１００のＬ１層である場合、図１５（Ａ）及び（Ｂ）に示すように、Ｌ０層による層間迷光ＬＢ０がフォトディテクタ３２の検出領域３２Ａ〜３２Ｄの全体に照射されることになる。
【０１０２】
なお図示しないが、フォトディテクタ３２の検出領域３２Ｈ〜３２Ｍは層間迷光ＬＢ１の外側に配置されており、フォトディテクタ３２において、Ｌ１層による層間迷光ＬＢ１及びＬ０層による層間迷光ＬＢ０のいずれもが検出領域３２Ｈ〜３２Ｊ及び３２Ｋ〜３２Ｍに照射されないようになされている。
【０１０３】
また光ピックアップ２０では、分割導光部４７の導光領域４７Ｇを通過した分割光ビームＬ１７Ｇをトラッキングエラー信号検出の演算に用いないことにより、光ディスク１００における信号記録層の記録・未記録状態の違いによるトラッキングエラー信号ＳＴＥのオフセットを抑制することができる。
【０１０４】
そのうえ光ピックアップ２０では、トラックのグルーブ構造に含まれるウォッブル信号ＷＢについて、分割導光部４７の導光領域４７Ｃ及び４７Ｄにより分割された分割光ビームＬ１７Ｃ及びＬ１７Ｄのみを使用することにより、特許文献３に記載されているような隣接トラックの影響による当該ウォッブル信号ＷＢのビート成分を抑制することができ、当該ウォッブル信号ＷＢの精度を向上させてアドレス情報の読み出し性能を向上させることができる。
【特許文献３】特開２００４−２７３０２４公報
【０１０５】
（１−４−２）対物レンズの移動と層間迷光
本実施の形態では、検出領域３２Ａ及び３２Ｂよりも小さい面積でなる迷光用検出領域を当該検出領域３２Ａ及び３２Ｂの近傍に配置すると共に、検出領域３２Ａ及び３２Ｂに対する迷光検出領域の面積比に基づいて検出領域３２Ａ及び３２Ｂによって検出される層間迷光ＬＢ１の光量を算出する。
【０１０６】
すなわち図１６に示すように、フォトディテクタ３２は、検出領域３２Ａの近傍、鉛直方向に、当該検出領域３２Ａによって検出される層間迷光ＬＢ１を検出するための２つの迷光用検出領域３２Ｘ（３２Ｘ１及び３２Ｘ２）を設けている。
【０１０７】
この迷光用検出領域３２Ｘ１及び３２Ｘ２は、検出領域３２Ａと水平方向に同一の長さ（約５０[μｍ]）を有する矩形でなり、鉛直方向の２辺が検出領域３２Ａと一直線上に並ぶように配置されている。
【０１０８】
また迷光用検出領域３２Ｘ１及び３２Ｘ２は、鉛直方向の長さ（約１４[μｍ]）が検出領域３２Ａ（約７０[μｍ]）の１／５でなり、検出領域３２Ａに対して外側に位置する鉛直方向の一辺（以下、これを迷光外側辺と呼ぶ）ＳＤＸ１及びＳＤＸ２から検出領域３２Ａにおける迷光用検出領域３２Ｘ１及び３２Ｘ２と対向する鉛直方向の一辺（以下、これを対向辺と呼ぶ）ＳＤＡ１及びＳＤＡ２までの距離が、検出領域３２Ａの鉛直方向の長さの半分以下となる約２５[μｍ]になるよう配置されている。
【０１０９】
さらにフォトディテクタ３２は、検出領域３２Ｂによって検出される層間迷光ＬＢを検出するために、迷光用検出領域３２Ｘと同一形状でなる２つの迷光用検出領域３２Ｙ（３２Ｙ１及び３２Ｙ２）を迷光用検出領域３２Ｘと鉛直方向を軸として対称になるように配置している。
【０１１０】
そして迷光用検出領域３２Ｘ１、３２Ｘ２、３２Ｙ１及び３２Ｙ２は、受光量に応じた検出信号ＳＸ１、ＳＸ２、ＳＹ１及びＳＹ２をそれぞれ生成する。
【０１１１】
このため光ディスク装置１は、検出信号ＳＸ１とＳＸ２、ＳＹ１とＳＹ２をそれぞれ加算することにより、迷光用検出領域３２Ｘ及び３２Ｙに対応する検出信号ＳＸ（ＳＸ１＋ＳＸ２）及びＳＹ（ＳＹ１＋ＳＹ２）を算出すると共に、迷光用検出領域３２Ｘ及び３２Ｙに対する面積比（２：５）に応じた係数β（５／２）を検出信号ＳＸ及びＳＹにそれぞれ乗算し、基準位置からの対物レンズ２５の移動量を表すレンズシフト信号ＳＬＳを算出することにより、（６）式に従って当該レンズシフト信号ＳＬＳから層間迷光ＬＢの影響の殆どを除去し得るようになされている。
【０１１２】
【数６】
2008287851.tif 000008
【０１１３】
また光ディスク装置１は、（７）式に従ってトラッキングエラー信号ＳＴＥを算出することにより、層間迷光ＬＢの影響を低減したトラッキングエラー信号ＳＴＥを生成し得るようになされている。
【０１１４】
【数７】
2008287851.tif 000009
【０１１５】
ところで、図１７に示すように、レーザダイオード３１から出射される出射光ビームＬ１１はガウス分布ＧＤを有している。このため出射光ビームＬ１１では、中心部分の光強度（以下、これを中心光強度と呼ぶ）ＭＰが最も大きく、外側程その光強度が小さくなっている。この影響により、層間迷光ＬＢも同様に中心部分の光強度が最大となる光強度分布を有している。
【０１１６】
すなわちフォトディテクタ３２は、迷光用検出領域３２Ｘ及び３２Ｙによって検出領域３２Ａ及び３２Ｂの近傍の層間迷光ＬＢを受光できるため、検出領域３２Ａ及び３２Ｂが実際に受光するのと近い光強度でなる層間迷光ＬＢのみを選択的に受光することができる。
【０１１７】
またフォトディテクタ３２は、検出領域３２Ａに対して１／５の面積でなる２つの迷光用検出領域３２Ｘ１及び３２Ｘ２を検出領域３２Ａの鉛直方向両側にそれぞれ設けたことにより、例えば検出領域３２Ａの２／５でなる迷光検出領域３２Ｘを一つ設ける場合と比較して、より検出領域３２Ａの近傍の層間迷光ＬＢのみを受光することができるため、一段と正確に層間迷光ＬＢの光量を検出することができる。
【０１１８】
ここで光ピックアップ２０では、光ディスク１００における所望のトラックに出射光ビームL１１を照射するために、駆動部２７によって対物レンズ２５を、出射光ビームＬ１１の光軸と対物レンズ２５の中心とが一致するレンズ基準位置からトラッキング方向に移動する。
【０１１９】
光ピックアップ２０では、この対物レンズ２５の移動に伴って反射光ビームL１３の光軸が水平左右方向に移動するため、ビームスポットＰ１２Ａ、Ｐ１２Ｂ、Ｐ１２Ｃ、Ｐ１２Ｄ、Ｐ１２Ｅ及びＰ１２Ｆの形状がそれぞれ変化する。
【０１２０】
すなわち図１８に示すように、レンズ基準位置のときには、図１３（Ａ）に示したように、対物レンズ２５がレンズ基準位置にあるときには分割導光部４７の中心を反射光ビームＬ１３が通過するため、各ビームスポットＰ１２Ａ、Ｐ１２Ｂ、Ｐ１２Ｃ、Ｐ１２Ｄ、Ｐ１２Ｅ及びＰ１２Ｆがほぼ左右対称に照射される。
【０１２１】
このとき層間迷光の中心（以下、これを迷光中心ＣＢと呼ぶ）がフォトディテクタ３２の中心に位置している場合には、検出領域３２Ａ及び３２Bによって検出される層間迷光ＬＢ１による光量がそれぞれ同一となり、（６）式及び（７）式のように、トラッキングエラー信号ＳＴＥが算出される際に層間迷光ＬＢの光量が相殺されるため、層間迷光ＬＢ１Ｇがトラッキングエラー信号ＳＴＥに影響を与えることはない。
【０１２２】
これに対して対物レンズ２５がレンズ基準位置から一方向に移動した場合、例えば図１３（Ｂ）に示すように、対物レンズ２５の移動に応じて反射光ビームＬ１３の光軸が各分割領域４７に対して水平右方向へシフトした状態で入射される。
【０１２３】
このため図１９に示すように反射光ビームＬ１３の移動方向と同一方向となる水平右方向に回折されるビームスポットＰ１２Ａ、Ｐ１２Ｃ及びＰ１２Ｅは、大きくなる一方、水平左方向に回折されるビームスポットＰ１２Ｂ、Ｐ１２Ｄ及びＰ１２Ｆ（図１７）は、レンズ基準位置のとき（図１６）と比較して小さくなる。
【０１２４】
このとき層間迷光ＬＢ０の光軸（中心）である迷光中心ＣＢは、ビームスポットＰ１２と同様の水平方向に移動する。
【０１２５】
図１５（Ｂ）の拡大図である図２０に示すように、対物レンズ２５がレンズ基準位置から移動することにより反射光ビームＬ１３が例えば水平右方向に移動した場合、図２１に示すように層間迷光ＬＢは、反射光ビームＬ１３の動きとは逆方向となる水平左方向へ全体的に移動する。
【０１２６】
この場合、迷光用検出領域３２Ｘ及び３２Ｙは、検出領域３２Ａ及び３２Ｂの近傍の層間迷光ＬＢ０のみを選択的に受光することにより、層間迷光ＬＢ０の光強度分布の影響を検出することができ、層間迷光ＬＢの光量を検出領域３２Ａ及び３２Ｂから減算することにより、検出信号１２Ａ及び１２Ｂからから層間迷光ＬＢによる光量を高い精度で除去することができる。
【０１２７】
またＬ１層による層間迷光ＬＢ１は、図１４（Ｂ）の拡大図である図２２に示すように、レンズ基準位置において導光領域４７を通過した長方形状を有する層間迷光ＬＢ１（以下、これを迷光中央領域ＬＢ１Ｇと呼ぶ）が検出領域３２Ｅの全面、並びに検出領域３２Ａ及び３２Ｂの一部にのみ照射される。
【０１２８】
Ｌ１層による層間迷光ＬＢ１は、レンズ基準位置（図２２）のときと比較して、図２３に示すように、例えば対物レンズ２５が移動して反射光ビームＬ１３の光軸が水右左方向に移動した場合、層間迷光ＬＢ０と同様に当該反射光ビームＬ１３の動きとは逆方向となる水平左方向へ全体的に移動する。
【０１２９】
このときフォトディテクタ３２では、迷光中央領域ＬＢＧ１が水平左方向へ移動することに伴って、検出領域３２Ａによって検出される迷光中央領域ＬＢ１Ｇの光量が増大し、検出領域３２Ｂによって検出される迷光中央領域ＬＢ１Ｇの光量が減少する。
【０１３０】
フォトディテクタ３２では、迷光用検出領域３２Ｘ及び３２Ｙの長手方向を迷光中央領域ＬＢ１Ｇの移動する水平方向に配置し、かつ当該長手方向が検出領域３２Ａ及び３２Ｂと同一の長さとなるように構成されている。
【０１３１】
これによりフォトディテクタ３２は、検出領域３２Ａのうち迷光中央領域ＬＢＧ１がかかる面積の割合と、迷光用検出領域３２Ｘ１及び３２Ｘ２のうち迷光中央領域ＬＢＧ１がかかる面積の割合とがほぼ同一となるため、検出領域３２Ａ及び３２Ｂに受光される迷光中央領域ＬＢＧ１の光量を確実に検出して検出領域３２Ａ及び３２Ｂに受光される迷光中央領域ＬＢＧ１の光量を精度良く検出し得るようになされている。
【０１３２】
すなわち対物レンズ２５のトラッキング方向への駆動範囲は通常約５０[μｍ]、最大でも約１００[μｍ]程度が想定されている。図２３では対物レンズ２５をレンズ基準位置から２００[μｍ]移動させたときの層間迷光ＬＢ１を示しており、迷光ビームＬＢ１Ｇの移動による検出領域３２Ａ及び３２Ｂの光量の変化を確実に検出できることがわかる。なお、検出領域３２Ｃ及び３２Ｄには殆ど層間迷光ＬＢが照射されることはない。
【０１３３】
さらにフォトディテクタ３２は、迷光用検出領域３２Ｘ１、３２Ｘ２、３２Ｙ１及び３２Ｙ２の面積を検出領域３２Ａ及び３２Ｂに比して小さくすることにより、迷光中央領域ＬＢ１Ｇの鉛直方向両端から迷光用検出領域３２Ｘ及び３２Ｙの鉛直方向両端までの距離ｄ（図２２）を大きくできる。
【０１３４】
このためフォトディテクタ３２は、層間迷光ＬＢ１のサイズが変化して迷光中央領域ＬＢ１Ｇの面積が小さくなった場合であっても、迷光中央領域ＬＢＧ１が迷光用検出領域３２Ｘ及び３２Ｙよりも小さくなることを防止でき、迷光用検出領域３２Ｘ及び３２Ｙによって迷光中央領域ＬＢ１Ｇの光量を漏らすことなく確実に検出することができる。
【０１３５】
図２４に、検出領域３２Ａ及び３２Ｂによって検出される光量（分割光ビームＬ１７Ａ、Ｌ１７Ｂ、Ｌ１７Ｅ及びＬ１７Ｆに基づく信号光＋層間迷光ＬＢ１）を表す信号光＋迷光グラフＧ１と、迷光検出領域３２Ｘ及び３２Ｙによる受光量に基づいて算出された、検出領域３２Ａ及び３２Ｂによって検出される層間迷光ＬＢ１の光量を表す迷光グラフＧ２と、信号光＋迷光グラフＧ１から迷光グラフＧ２を減算することにより算出された信号光グラフＧ３（（６）式に従って算出されたレンズシフト信号ＳＬＳ）とを示している。
【０１３６】
図からわかるように、信号光グラフＧ３は対物レンズ２５の駆動量に応じてほぼ線形に変化しており、対物レンズ２５の移動量を精度良く表している。従って光ディスク装置１では、（７）式に従ってトラッキングエラー信号ＳＴＥを算出することにより、層間迷光ＬＢ１の影響を殆ど除去した精度の高いトラッキングエラー信号ＳＴＥを生成することができる。
【０１３７】
このように光ディスク装置１は、迷光用検出領域３２Ｘ及び３２Ｙの面積をそれぞれ検出領域３２Ａ及び３２Ｂの半分以下に抑えると共に、当該迷光用検出領域３２Ｘ及び３２Ｙをそれぞれ２つに分割して検出領域３２Ａ及び３２Ｂの両側にそれぞれ配置することにより、検出信号ＳＸ（ＳＸ１＋ＳＸ２）及びＳＹ（ＳＹ１＋ＳＹ２）に対して単に面積比に応じた係数βを乗算するだけで、検出領域３２Ａ及び３２Ｂによって検出される層間迷光ＬＢの光量を高い精度で算出し得るようになされている。
【０１３８】
また光ディスク装置１は、反射光ビームＬ１３を分割導光部４７によって分割することにより反射光ビームＬ１７としてフォトディテクタ３２で受光するため、層間迷光ＬＢ１が分割導光部４７で分割され、迷光中央領域ＬＢＧ１のみが検出領域３２Ａ及び３２Ｂに検出される構成でなる。
【０１３９】
このため光ディスク装置１は、層間迷光ＬＢ１が照射される可能性のある位置に配置された検出領域３２Ａ及び３２Ｂに沿って、対物レンズ２５の移動する水平方向に対してその長手方向が平行になるように迷光用検出領域３２Ｘ及び３２Ｙを配置したことにより、検出領域３２Ａ及び３２Ｂに検出される迷光中央領域ＬＢＧ１を精度良く検出し得るようになされている。
【０１４０】
（１−５）動作及び効果
以上の構成において、光ディスク装置１は、光源であるレーザダイオード３１から出射した光ビームである出射光ビームＬ１１を、対物レンズ２５を介して複数の情報記録層を有する光ディスク１００に対して照射する光ディスク装置１において、出射光ビームＬ１１を照射する対象となる対象記録層によって反射されてなる反射光ビームＬ１７を受光して受光量に応じたメイン検出信号である検出信号Ｓ１２Ａを生成する。
【０１４１】
さらに光ディスク装置１は、メインフォトディテクタである検出領域３２Ａの近傍に設けられた検出領域３２Ａよりも小さい面積でなる迷光用フォトディテクタとしての迷光用検出領域３２Ｘによって検出領域３２Ａが受光する対象記録層以外の情報記録層で反射された迷光ビームである層間迷光ＬＢと近い光強度でなる層間迷光ＬＢのみを受光し、層間迷光ＬＢを受光して受光量に応じた迷光検出信号としての検出信号ＳＸを生成する。
【０１４２】
さらに光ディスク装置１は、検出領域３２Ａと迷光用検出領域３２Ｘとの面積比に応じた係数βを検出信号ＳＸに乗算した乗算信号（β（ＳＸ））を、それぞれ検出領域３２Ａが受光する層間迷光ＬＢの光量として、検出信号Ｓ１２Ａにおける層間迷光ＬＢの光量（β（ＳＸ））を当該検出信号Ｓ１２Ａから除去するようにした。
【０１４３】
これにより光ディスク装置１は、迷光用検出領域３２Ｘによって検出領域３２Ａと近い光強度でなる層間迷光ＬＢのみを受光することができるため、検出信号Ｓ１２Ａから乗算信号をそれぞれ減算することにより、当該検出信号Ｓ１２Ａから層間迷光ＬＢに基づく光量を高い精度で除去することができ、当該検出信号Ｓ１２Ａに基づいて生成されるサーボ制御信号であるトラッキングエラー信号ＳＴＥの精度を向上することができる。
【０１４４】
また光ディスク装置１は、迷光用検出領域３２Ｘを、検出領域３２Ｘ１及び３２Ｘ２としてそれぞれ２つに分割し、検出領域３２Ａを挟んで囲むようにそれぞれ配置することにより、例えば何らかの原因によって層間迷光ＬＢの光強度が検出領域３２Ａ及び迷光用検出領域３２Ｘに対して（鉛直方向に）相違するような場合や、斜め方向に相違するような場合であっても、検出信号ＳＸ１及びＳＸ２を加算することにより、光強度の相違分を互いに相殺できるため、検出信号Ｓ１２Ａから層間迷光ＬＢを適切に除去することができる。
【０１４５】
さらに光ディスク装置１は、迷光用検出領域３２Ｘを矩形状に形成し、対物レンズ２５が光ディスク１００の半径方向に移動するのに伴い層間迷光ＬＢが移動する移動方向（水平方向）に対して長手方向が平行になるように配置している。
【０１４６】
これにより光ディスク装置１は、小さい面積でなるにも拘らず、対物レンズ２５の移動量よりも長い距離に渡って迷光用検出領域３２Ｘを配置できるため、対物レンズ２５の移動に伴う検出信号Ｓ１２Ａにおける層間迷光ＬＢの光量の変化を確実に検出することができる。
【０１４７】
また光ディスク装置１は、分割導光部４７によって反射光ビームＬ１３を複数の分割光ビームＬ１７に分割し、当該分割光ビームＬ１７を対応する検出領域３２Ａでそれぞれ受光し、対象記録層でないＬ１層による層間迷光ＬＢ１が分割導光部４７で分割されてなる分割迷光ビームとしての迷光中央領域ＬＢ１Ｇを受光する可能性のある位置に迷光用検出領域３２Ｘを配置することにより、検出領域３２Ａによって受光する迷光中央領域ＬＢ１Ｇを効率良く受光することができる。
【０１４８】
さらに光ディスク装置１は、一の検出領域３２Ａによる検出信号Ｓ１２Ａから他の検出領域３２Ｂによる検出信号Ｓ１２Ｂを減算することによりトラッキングエラー信号ＳＴＥを生成し、迷光用検出領域３２Ｘ及び３２Ｙを検出領域３２Ａ及び３２Ｂに対応させて２つ設ける共に、鉛直方向を軸として迷光用検出領域３２Ｘ及び３２Ｙを対称に配置することにより、対物レンズ２５の中心が出射光ビームＬ１１の光軸と重なるレンズ基準位置において、各迷光用検出領域３２Ｘ及び３２Ｙがほぼ同一の光強度でなる層間迷光ＬＢを受光する。
【０１４９】
これにより光ディスク装置１は、（６）式のように検出信号ＳＸ及びＳＹの一方から他方を減算することになるため、層間迷光ＬＢにおける鉛直方向のガウス分布による検出領域３２Ａ及び３２Ｂに対する検出領域３２Ｘ及び３２Ｙの光強度の相違を相殺して小さくすることができ、検出信号Ｓ１２Ａ及びＳ１２Ｂから精度良く層間迷光ＬＢの光量を除去することができる。
【０１５０】
以上の構成によれば、光ディスク装置１は、検出領域３２Ａの近傍に当該検出領域３２Ａよりも小さい面積でなる迷光用検出領域３２Ｘを設け、当該迷光用検出領域３２Ｘの受光量から、検出領域３２Ａと迷光用検出領域３２Ｘとの面積比に応じた係数βを乗算した迷光検出領域３２Ｘの受光量を減算することにより、検出領域３２Ａにおける層間迷光ＬＢを高い精度で算出することができ、かくして当該迷光用検出領域３２Ｘの受光量から層間迷光ＬＢを高い精度で除去し得る光ディスク装置及び光ピックアップを実現できる。
【０１５１】
（１−６）他の実施の形態
なお上述した実施の形態においては、分割導光部４７が７分割され、その中央部分に導光領域４７Ｇを有するようにした場合について述べたが、本発明はこれに限らず、例えば導光領域４７ＧがＩ型の形状を有する分割導光部や、当該導光領域４７Ｇを有さず、単に６分割された分割導光部など、種々の分割パターンでなる分割導光部を用いるようにしても良い。
【０１５２】
また上述した実施の形態においては、検出領域３２Ａ及び３２Ｂの近傍に迷光用検出領域３２Ｘ及び３２Ｙを配置し、検出領域３２Ａ及び３２Ｂの受光量から層間迷光ＬＢの受光量を除去するようにした場合について述べたが、本発明はこれに限らず、例えば検出領域３２Ｅや、検出領域３２Ｃ及び３２Ｄの近傍に迷光用検出領域を配置し、これらの受光量から層間迷光ＬＢの受光量を減算するようにしても良い。
【０１５３】
さらに上述した実施の形態においては、検出領域３２Ａ及び３２Ｂを挟むように各２つの迷光用検出領域３２Ｘ１及び３２Ｘ２並びに３２Ｙ１及び３２Ｙ２を設けるようにした場合について述べたが、本発明はこれに限らず、例えば図２５に示すように、検出領域３２Ａ及び３２Ｂの片側にのみ各１つの迷光用検出領域３２Ｘ及び３２Ｙを設けるようにしても良い。
【０１５４】
なお図２５では、迷光用検出領域３２Ｘ及び３２Ｙは、鉛直方向の長さＬＸ及びＬＹが検出領域３２Ａ及び３２Ｂの鉛直方向の長さＬＡの１／２となっており、迷光用検出領域３２Ｘ及び３２Ｙの面積が検出領域３２Ａ及び３２Ｂの１／２となっている。従って、（６）式における係数βは「２．０」となる。なお、迷光検出領域３２X及び３２Yは、検出領域３２A及び３２Bの近傍に配置されることにより正確に層間迷光ＬＢの光量を検出するようにしているが、係数βを例えば「２．２」としても良い。これにより層間迷光ＬＢの強度分布に応じて迷光検出領域３２Ｘ及び３２Ｙが検出する光量の誤差を補正することができる。
【０１５５】
さらに上述した実施の形態においては、ブレーズドＨＯＥでなる分割導光部４７によって分割した分割光ビームＬ１７を各検出領域３２Ａ〜３２Ｍで受光するようにした場合について述べたが、本発明はこれに限らず、例えば図２６に示すように、反射光ビームＬ１３〜Ｌ１５を分割することなく、検出領域９０Ａａ〜９０Ｍで受光すると共に、このときの層間迷光ＬＢを検出領域９０Ｈ〜９０Ｊ及び９０Ｋ〜９０Ｍに隣接して設けられた迷光用検出領域９０Ｘ及び９０Ｙによって受光するようにしても良い。
【０１５６】
この場合であっても、光ディスク装置１は、検出領域と比して小さい面積でなる迷光用検出領域９０Ｘ及び９０Ｙで受光することにより、同一面積でなる迷光用検出領域を設ける場合と比較して、高い精度で層間迷光ＬＢを検出することができる。
【０１５７】
また光ディスク装置１では、迷光用検出領域９０Ｘ及び９０Ｙを検出領域９０Ｈ及び９０Ｍに隣接させることにより、迷光用検出領域と検出領域９０Ｈ及び９０Ｍとの間に隙間がある場合と比較して、一段と光強度の近い層間迷光ＬＢを受光することができ、層間迷光ＬＢを高い精度で算出することが可能となる。
【０１５８】
さらに光ディスク装置１では、検出領域９０Ｈ〜９０Ｊ及び９０Ｋ〜９０Ｍと迷光用検出領域９０Ｘ及び９０Ｙとの面積比に応じて検出領域９０Ｈ〜９０Ｊ及び９０Ｋ〜９０Ｍによる検出信号から層間迷光ＬＢの光量を除去することにより、光ディスク１００に情報を再生及び記録する際におけるフォーカスエラー信号の生成時に本発明を適用することができる。
【０１５９】
さらに上述の実施の形態においては、２層ディスクでなる光ディスク１００に対して情報の記録及び再生を実行するようにした場合について述べたが、本発明はこれに限らず、３層以上の情報記録層を有する多層ディスクに対して情報の記録及び再生を実行するようにしても良い。
【０１６０】
さらに上述した実施の形態においては、光ディスク装置１において光ディスク１００から情報を再生する際におけるトラッキングエラー信号の生成時に本発明を適用する場合について述べたが、これに限らず、例えば当該光ディスク１００に情報を記録する際におけるトラッキングエラー信号の生成時に本発明を適用するようにしても良い。
【０１６１】
さらに上述した実施の形態においては、矩形状でなる迷光用検出領域３２Ｘを配置するようにした場合について述べたが、本発明はこれに限らず、例えば正方形や多角形など、層間迷光ＬＢの形状に応じて適した形状でなる迷光用検出領域３２Ｘを設けるようにしても良い。
【０１６２】
さらに上述した実施の形態においては、検出領域３２Ａを挟むように迷光用検出領域３２Ｘ１及び３２Ｘ２を配置するようにした場合について述べたが、本発明はこれに限らず、四角形でなる検出領域３２Ａを囲むように例えば辺の数と同数の４つの迷光用検出領域３２Ｘ１〜３２Ｘ４を配置するようにしても良い。これにより、フォトディテクタ３２は、いずれの方向に層間迷光ＬＢの光強度が相違する場合であっても、迷光用検出領域３２Ｘ１〜３２Ｘ４間で光強度の相違分の受光量を相殺することができる。
【０１６３】
さらに上述した実施の形態においては、検出領域３２Ａと迷光用検出領域３２Ｘとの面積比に応じた係数βを検出信号ＳＸに乗算した乗算信号を検出領域３２Ａにおける層間迷光の受光量とするようにした場合について述べたが、本発明はこれに限らず、例えば検出領域３２Ａにおいて常に層間迷光が照射される部分に対応する領域に迷光用検出領域３２Ｘを設けず、面積比に応じた係数βを乗算した乗算信号に対して常に照射される層間迷光の受光量を加算した値を層間迷光の受光量とするようにしてもよい。このように光ディスク装置１では、検出領域３２Ａと迷光用検出領域３２Ｘとの面積比に応じて層間迷光の受光量を算出することにより、上述した実施の形態と同様の効果を得ることができる。
【０１６４】
さらに上述した実施の形態においては、駆動部としての駆動部２７と、メインフォトディテクタとしての検出領域３２Ａ及び３２Ｂと、迷光用フォトディテクタとしての検出領域３２Ｘ及び３２Ｙとによって光ピックアップとしての光ピックアップ３０を構成する場合について述べたが、本発明はこれに限らず、その他種々の構成でなるブ駆動部と、メインフォトディテクタと、迷光用フォトディテクタとによって本発明の光ピックアップを構成するようにしても良い。
【０１６５】
さらに上述した実施の形態においては、駆動部としての駆動部２７と、メインフォトディテクタとしての検出領域３２Ａ及び３２Ｂと、迷光用フォトディテクタとしての検出領域３２Ｘ及び３２Ｙと、信号処理部としての信号処理部１６とによって光ディスク装置としての光ディスク装置１を構成する場合について述べたが、本発明はこれに限らず、その他種々の構成でなるブ駆動部と、メインフォトディテクタと、迷光用フォトディテクタと、信号処理部とによって本発明の光ディスク装置を構成するようにしても良い。
【０１６６】
（２）第２の実施の形態
図２７〜３０は第２の実施の形態を示すもので、図１〜２８に示す第１の実施の形態に対応する部分を同一符号で示している。本実施の形態では、検出領域３２Ａ及び３２Ｂと同一面積でなる迷光用検出領域を当該検出領域３２Ａ及び３２Ｂの近傍に配置すると共に、この迷光用検出領域によって検出された光量を検出領域３２Ａ及び３２Ｂによって検出される層間迷光Ｌ１の光量とする点が、第１の実施の形態と異なっている。なお光ディスク装置１及び光ピックアップ２０としての構成は第１の実施の形態と同様であるため説明を省略する。
【０１６７】
（２−１）フォトディテクタの構成
図２７に示すように、フォトディテクタ７０は、検出領域３２Ａの近傍、鉛直方向に、当該検出領域３２Ａによって受光される層間迷光ＬＢを検出するための２つの迷光用検出領域３２Ｘａ（３２Ｘａ１及び３２Ｘａ２）を設けている。なお図２７では、第1の実施の形態と同様の構成でなる検出領域３２Ｋ〜３２Ｊを省略して示している。
【０１６８】
この迷光用検出領域３２Ｘａ１及び３２Ｘａ２は矩形でなり、水平方向に検出領域３２Ａと同一の長さを有すると共に、鉛直方向の２辺が検出領域３２Ａと一直線上に並ぶように配置されている。また迷光用検出領域３２Ｘａ１及び３２Ｘａ２は、鉛直方向の長さＬＸａが検出領域３２Ａの長さＬＡの１／２でなる。
【０１６９】
すなわち迷光用検出領域３２Ｘａ１及び３２Ｘａ２は、その面積が検出領域３２Ａのほぼ半分となり、迷光用検出領域３２Ｘａ１及び３２Ｘａ２を合算した面積が検出領域３２Ａの面積とほぼ同一となる。
【０１７０】
またフォトディテクタ７０は、検出領域３２Ｂの近傍、鉛直方向に、当該検出領域３２Ｂによって受光される層間迷光ＬＢを検出するための２つの迷光用検出領域３２Ｙ（３２Ｙａ１及び３２Ｙａ２）を設けている。この迷光用検出領域３２Ｙａ１及び３２Ｙａ２は、迷光用検出領域３２Ｘａ１及び３２Ｘａ２と同一構成でなる。
【０１７１】
因みにフォトディテクタ７０は、検出領域３２Ａ及び３２Ｂと比して水平方向に大きくなるように検出領域３２Ｃａ及び３２Ｄａを形成している。これは、検出領域検出領域３２Ａ及び３２Ｂによって受光されるスポットＰ１２Ａ及びＰ１２Ｅ並びにＰ１２Ｂ及びＰ１２Ｆよりも、検出領域３２Ｃａ及び３２Ｄａによって受光されるスポットＰ１２Ｃ及びＰ１２Ｄが大きいことを反映させたものである。
【０１７２】
ところで図２８に示すように、光ディスク１００では、記録マークＲＭが全く形成されていない未記録領域ＹＲと、記録マークＲＭが既に形成された記録済領域ＦＲとが混在する場合がある。
【０１７３】
光ディスク１００は、記録マークＲＭにおける反射率が記録マークＲＭ以外の部分の反射率と異なっていることから、図記録領域ＹＲと記録済領域ＦＲとでは、光ビーム４０に対する平均的な反射率が異なることになる。
【０１７４】
なお図２９に示すように、光ディスク１００において対物レンズ２５が移動する移動軸線ＭＬ上においてトラックに対する接線方向をタンジェンシャル方向とし、当該トラックに対する法線方向（すなわちトラック半径方向）をラジアル方向とする。またフォトディテクタ７０上では、対物レンズ２５がラジアル方向に移動したときに反射光スポットＱが移動する方向が水平方向、タンジェンシャル方向に対応する方向が鉛直方向となる。
【０１７５】
上述したように光ディスク装置１は、出射光ビームＬ１１を光ディスク１００に対して照射する際、非対象記録層に対して焦点が一致しない（すなわちデフォーカスした）状態で出射光ビームＬ１１を照射することになる。このため図２８に示したように、非対象記録層に形成される他層スポットＯＡは、その直径がトラックピッチＴＰよりも遥かに大きくなる。
【０１７６】
この非対象記録層に対して照射された出射光ビームＬ１１は、当該非対象記録層によって反射されると共に、対象記録層によって反射された反射光ビームＬ１２と同様の光路を辿り、図３０（Ａ）に示すように、不必要な層間迷光ＬＢとしてフォトディテクタ７０に受光されることになる。
【０１７７】
このため他層スポットＯＡがタンジェンシャル方向に平行な未記録領域ＹＲと記録済領域ＦＲとの境界線（以下、れを記録境界線と呼ぶ）ＢＬ上に存在すると、図３０（Ｂ）に示すように、フォトディテクタ７０上の層間迷光ＬＢに未記録領域ＹＲと記録済領域ＦＲとに対応する明暗が出現する。
【０１７８】
この明暗の境界線（以下、これを明暗境界線と呼ぶ）ＥＬは、タンジェンシャル方向と対応する鉛直方向に平行に出現し、記録境界線ＢＬがラジアル方向に移動するのに応じて、当該ラジアル方向と対応する水平方向に移動する。
【０１７９】
フォトディテクタ７０では、検出領域３２Ａ及び３２Ｂの水平方向に同一の長さを有する迷光検出領域３２Ｘａ１及び３２Ｘａ２を、検出領域３２Ａ及び３２Ｂと鉛直方向に並列に配置している。このためフォトディテクタ７０は、層間迷光ＬＢ内に出現した明暗境界線ＥＬが移動することにより、検出領域３２Ａ及び３２Ｂが受光する層間迷光ＬＢの光量の変化を迷光検出領域３２Ｘａ１及び３２Ｘａ２によって適切に検出することができる。
【０１８０】
そして光ディスク装置１は、迷光用検出領域３２Ｘａ１及び３２Ｘａ２によって検出した光量の合計を検出領域３２Ａによって受光される層間迷光ＬＢの光量とし、迷光用検出領域３２Ｙａ１及び３２Ｙａ２によって検出した光量の合計を検出領域３２Ｂによって受光される層間迷光ＬＢの光量とし、トラッキングエラー信号ＳＴＥを算出する。
【０１８１】
具体的に迷光用検出領域３２Ｘａ１、３２Ｘａ２、３２Ｙａ１及び３２Ｙａ２は、受光量に応じた検出信号ＳＸａ１、ＳＸａ２、ＳＹａ１及びＳＹａ２をそれぞれ生成する。また検出領域３２Ａ及び３２Ｂは、受光量に応じた検出信号Ｓ１２Ａ及びＳ１２Ｂをそれぞれ生成する。
【０１８２】
そして光ディスク装置１は、検出信号ＳＸａ１とＳＸａ２、ＳＹａ１とＳＹａ２をそれぞれ加算することにより、迷光用検出領域３２Ｘａ及び３２Ｙａに対応する検出信号ＳＸａ（ＳＸａ１＋ＳＸａ２）及びＳＹａ（ＳＹａ１＋ＳＹａ２）を算出する。光ディスク装置１は、検出信号Ｓ１２Ａ及びＳ１２Ｂから検出信号ＳＸａ及びＳＹａをそれぞれ減算することにより、検出信号Ｓ１２Ａ及びＳ１２Ｂから層間迷光ＬＢの受光量を除去する。
【０１８３】
すなわち光ディスク装置１は、（８）式に従って基準位置からの対物レンズ２５の移動量を表すレンズシフト信号ＳＬＳを算出することにより、フォトディテクタ７０が鉛直方向に明暗境界線ＥＬを有する層間迷光ＬＢ０を受光した場合であっても、当該レンズシフト信号ＳＬＳから層間迷光ＬＢ０の影響の殆どを除去し得るようになされている。
【０１８４】
【数８】
2008287851.tif 000010
【０１８５】
また光ディスク装置１は、Ｌ１層からの層間迷光ＬＢ１（図２２）の場合も同様に、上述した迷光中央領域ＬＢ１Ｇの移動及び明暗境界線ＥＬの移動に応じて、検出領域３２Ａ及び３２Ｂにおいて変化する層間迷光ＬＢ１の受光量を適切に検出し、レンズシフト信号ＳＬＳから層間迷光ＬＢ１の影響の殆どを除去し得るようになされている。
【０１８６】
また光ディスク装置１は、（７）式に従ってトラッキングエラー信号ＳＴＥを算出することにより、層間迷光ＬＢの影響を低減したトラッキングエラー信号ＳＴＥを生成し得るようになされている。
【０１８７】
なお記録境界線ＢＬに起因する明暗境界線ＥＬが生じた場合の層間迷光ＬＢの受光について説明したが、他の要因に起因する明暗を有する層間迷光ＬＢについても同様の効果を得ることができる。また図では明暗境界線ＥＬを明確な境界線として示しているが、例えば光量が徐々に変化する場合であっても同様の効果をえることができる。
【０１８８】
因みに図２７においてフォトディテクタ７０は、水平方向に並ぶ検出領域３２Ａ〜３２Ｅに対し、傾斜した状態でスポットＰ１２Ａ〜Ｐ１２Ｅを受光している。これは、検出領域３２Ｉ及び３２Ｌ（図９）に高次光ビームが受光されることを防止し、当該高次光ビームがフォーカスエラー信号ＳＦＥに与える影響を抑制するためである。
【０１８９】
（２−２）動作及び効果
以上の構成によれば、光ディスク装置１は、フォトディテクタ７０における検出領域３２Ａ及び３２Ｂが受光する層間迷光ＬＢの光量を検出するため、当該検出領域３２Ａ及び３２Ｂと同一面積及び鉛直方向に同一幅でなる迷光用検出領域３２Ｘ及び３２Ｙを、検出領域３２Ａ及び３２Ｂと鉛直方向に並列に設けるようにした。
【０１９０】
これにより光ディスク装置１は、検出領域３２Ａ及び３２Ｂの受光量を表す検出信号Ｓ１２Ａ及びＳ１２Ｂから迷光用検出領域３２Ｘａ及び３２Ｙａの受光量を表す検出信号ＳＸａ及びＳＹａを減算するだけの簡易な処理によって、検出信号Ｓ１２Ａ及びＳ１２Ｂから層間迷光ＬＢの影響を除去することができる。
【０１９１】
また光ディスク装置１は、迷光用検出領域３２Ｘ及び３２Ｙを各２つの迷光用検出領域３２Ｘａ１及び３２Ｘａ２、並びに迷光用検出領域３２Ｙａ１及び３２Ｙａ２に分割し、検出領域３２Ａ及び３２Ｂの両側から挟むように配置した。
【０１９２】
これにより光ディスク装置１は、検出領域３２Ａ及び３２Ｂと同一面積でなる各１の迷光用検出領域３２Ｘ及び３２Ｙを配置する場合と比較して、各迷光用検出領域３２Ｘａ１、３２Ｘａ２、３２Ｙａ１及び３２Ｙａ２を、検出領域３２Ａ及び３２Ｂのより近傍に配置することができ、検出領域３２Ａ及び３２Ｂによって受光する層間迷光ＬＢの光量をより正確に検出することができる。
【０１９３】
また明暗境界線ＥＬが鉛直方向から傾斜して出現するような場合であっても、迷光用検出領域３２Ｘａ１及び３２Ｘａ２を合算することにより検出領域３２Ａに対する受光量の差異を相殺することができ、層間迷光ＬＢの光量を高い精度で検出することができる。
【０１９４】
（３）第３の実施の形態
図３１〜３２は第３の実施の形態を示すもので、図２７〜３０に示す第２の実施の形態に対応する部分を同一符号で示している。本実施の形態では、検出領域３２Ａ及び３２Ｂだけでなく、検出領域３２Ｃａ及び３２Ｄａに受光される層間迷光ＬＢの光量を検出する点が第２の実施の形態と異なっている。なお光ディスク装置１及び光ピックアップ２０としての構成は第１の実施の形態と同様であるため説明を省略する。
【０１９５】
（３−１）フォトディテクタの構成
図３１に示すように、フォトディテクタ７１は、検出領域３２Ａ及び３２Ｂの近傍、鉛直方向に、第２の実施の形態と同様の構成でなる迷光用検出領域３２Ｘ（３２Ｘａ１及び３２Ｘａ２）並びに３２Ｙ（３２Ｙａ１及び３２Ｙａ２）を設けている。なお図３１では、第1の実施の形態と同様の構成でなる検出領域３２Ｋ〜３２Ｊを省略して示している。
【０１９６】
さらにフォトディテクタ７１は、検出領域３２Ｃａの近傍に、当該検出領域３２Ｃａによって受光される層間迷光ＬＢを検出するための迷光用検出領域３２Ｚ（３２Ｚ１及び３２Ｚ２）を設けている。
【０１９７】
この迷光用検出領域３２Ｚ１及び３２Ｚ２は矩形でなり、水平方向に検出領域３２Ｃａと同一の長さを有すると共に、鉛直方向の２辺が検出領域３２Ｃａと一直線上に並ぶように配置されている。また迷光用検出領域３２Ｚ１及び３２Ｚ２は、鉛直方向の長さＬＺａが、検出領域３２Ｃａの長さＬＣの１／２でなる。
【０１９８】
すなわち迷光用検出領域３２Ｚ１及び３２Ｚ２は、その面積が検出領域３２Ｃａのほぼ半分となり、迷光用検出領域３２Ｚ１及び３２Ｚ２を合算した面積が検出領域３２Ｃａの面積とほぼ同一となる。
【０１９９】
また検出領域３２Ｂの近傍、鉛直方向に、当該検出領域３２Ｄａによって受光される層間迷光ＬＢを検出するための２つの迷光用検出領域３２Ｖ（３２Ｖ１及び３２Ｖ２）を設けている。この迷光用検出領域３２Ｖ１及び３２Ｖ２は、迷光用検出領域３２Ｚ１及び３２Ｚ２と同一構成でなる。
【０２００】
従って光ディスク装置１は、迷光用検出領域３２Ｚ１及び３２Ｚ２によって検出した光量の合計を検出領域３２Ｃａによって受光される層間迷光ＬＢの光量とし、迷光用検出領域３２Ｖ１及び３２Ｖ２によって検出した光量の合計を検出領域３２Ｄａによって受光される層間迷光ＬＢの光量とし、トラッキングエラー信号ＳＴＥを算出する。
【０２０１】
具体的に迷光用検出領域３２Ｚ１、３２Ｚ２、３２Ｖ１及び３２Ｖ２は、受光量に応じた検出信号ＳＺ１、ＳＺ２、ＳＶ１及びＳＶ２をそれぞれ生成する。また検出領域３２Ｃａ及び３２Ｄａは、受光量に応じた検出信号Ｓ１２Ｃ及びＳ１２Ｄをそれぞれ生成する。
【０２０２】
そして光ディスク装置１は、検出信号ＳＺ１とＳＺ２、ＳＶ１とＳＶ２をそれぞれ加算することにより、迷光用検出領域３２Ｚ及び３２Ｖに対応する検出信号ＳＺ（ＳＺ１＋ＳＺ２）及びＳＶ（ＳＶ１＋ＳＶ２）を算出する。光ディスク装置１は、検出信号Ｓ１２Ｃ及びＳ１２Ｄから検出信号ＳＺ及びＳＶをそれぞれ減算することにより、検出信号Ｓ１２Ｃ及びＳ１２Ｄから層間迷光ＬＢ０の受光量を除去する。
【０２０３】
すなわち光ディスク装置１は、（８）式に従って基準位置からの対物レンズ２５の移動量を表すレンズシフト信号ＳＬＳを算出すると共に、（９）式に従ってトラッキングエラー信号ＳＴＥを算出する。
【０２０４】
【数９】
2008287851.tif 000011
【０２０５】
この結果光ディスク装置１は、図３２（Ａ）に示すように、フォトディテクタ７１が層間迷光ＬＢ０を受光した場合であっても、層間迷光ＬＢ０の影響を低減したトラッキングエラー信号ＳＴＥを生成し得るようになされている。
【０２０６】
なお検出領域３２Ｃａ及び３２Ｄａは、層間迷光ＬＢ１を元々受光しない（図２２及び図２３）ため、フォトディテクタ７１が層間迷光ＬＢ１を受光するような場合には、層間迷光ＬＢ０のときのような効果を得ることはない。
【０２０７】
（３−２）動作及び効果
以上の構成によれば、光ディスク装置１は、フォトディテクタ７１における検出領域３２Ａ及び３２Ｂが受光する層間迷光ＬＢの光量を検出するため、当該検出領域３２Ａ及び３２Ｂと同一面積及び鉛直方向に同一幅でなる迷光用検出領域３２Ｘ及び３２Ｙを、検出領域３２Ａ及び３２Ｂと鉛直方向に並列に設けている。
【０２０８】
さらに光ディスク装置１は、フォトディテクタ７１における検出領域３２Ｃａ及び３２Ｄａが受光する層間迷光ＬＢの光量を検出するため、当該検出領域３２Ｃａ及び３２Ｄａと同一面積及び鉛直方向に同一幅でなる迷光用検出領域３２Ｚ及び３２Ｖを、検出領域３２Ｃａ及び３２Ｄａと鉛直方向に並列に設けるようにした。
【０２０９】
すなわち迷光中央領域ＬＢ１Ｇの移動に伴う層間迷光ＬＢ１の光量変化は検出領域３２Ａ及び３２Ｂにのみ生じるのに対し、明暗境界線ＥＬの移動に伴う層間迷光ＬＢ０の光量変化は検出領域３２Ａ及び３２Ｂのみならず検出領域３２Ｃａ及び３２Ｄａにも及ぶ可能性がある。
【０２１０】
光ディスク装置１は、迷光用検出領域３２Ｚ及び３２Ｖを設けることにより、検出領域３２Ａ及び３２Ｂの受光量に基づいて生成される検出信号Ｓ１２Ａ及びＳ１２Ｂから層間迷光ＬＢ０の影響を除去できるだけでなく、検出領域３２Ｃａ及び３２Ｄａの受光量に基づいて生成される検出信号１２Ｃ及び１２Ｄから層間迷光ＬＢ０の影響を除去することができる。
【０２１１】
この結果、例えば図３２（Ｂ）に示すように、層間迷光ＬＢ０が鉛直方向に平行な明暗境界線ＥＬを有するような場合であっても、適切に検出信号Ｓ１２Ｃ及びＳ１２Ｄから層間迷光ＬＢ０の影響を除去することができる。  
【０２１２】
（４）他の実施の形態
なお特に述べていないが、上述した第１の実施の形態においても、第２の実施の形態と同様に明暗境界線ＥＬが移動することに伴って検出領域３２Ａ及び３２Ｂが受光する層間迷光ＬＢ０の光量の変化を適切に検出することができる。
【０２１３】
さらに上述した第１の実施の形態においては、検出領域３２Ａ及び３２Ｂが受光する層間迷光ＬＢの光量を検出するための迷光用検出領域３２Ｘ及び３２Ｙを設けるようにした場合について述べたが、本発明はこれに限らず、検出領域３２Ｃ及び３２Ｄの近傍にも同様に迷光用検出領域を設けることができる。これにより、第３の実施の形態と同様の効果をえることができる。
【産業上の利用可能性】
【０２１４】
本発明は、光ビームを用いて光記録媒体に情報を記録し又は再生する種々の光情報装置でも利用できる。
【図面の簡単な説明】
【０２１５】
【図１】光ディスク装置の全体構成を示すブロック図である。
【図２】光ピックアップの構成を示す略線的斜視図である。
【図３】光集積素子の構成を示す略線図である。
【図４】分割導光部の構成（１）を示す略線図である。
【図５】分割導光部の構成（２）を示す略線図である。
【図６】分割導光部の構成（３）を示す略線図である。
【図７】フォトディテクタにおける検出領域の配置を示す略線図である。
【図８】反射光ビームの分割及び導光の説明に供する略線図である。
【図９】フォトディテクタの検出領域に形成されるビームスポットの様子を示す略線図である。
【図１０】光ピックアップ内の光路（１）を示す略線図である。
【図１１】光ピックアップ内の光路（２）を示す略線図である。
【図１２】光ピックアップ内の光路（３）を示す略線図である。
【図１３】分割導光部における迷光の説明に供する略線図である。
【図１４】Ｌ０層に対する光ビームの照射とＬ１層からの層間迷光を示す略線図である。
【図１５】Ｌ１層に対する光ビームの照射とＬ０層からの層間迷光を示す略線図である。
【図１６】迷光フォトディテクタの構成を示す略線図である。
【図１７】光ビームのガウス分布の説明に供する略線図である。
【図１８】レンズ基準位置におけるビームスポットを示す略線図である。
【図１９】レンズ基準位置から移動したときのビームスポットを示す略線図である。
【図２０】レンズ基準位置におけるＬ０層からの層間迷光を示す略線図である。
【図２１】レンズ基準位置から移動したときのＬ０層からの層間迷光を示す略線図である。
【図２２】レンズ基準位置におけるＬ１層からの層間迷光を示す略線図である。
【図２３】レンズ基準位置から移動したときのＬ１層からの層間迷光を示す略線図である。
【図２４】レンズシフト信号と迷光信号の関係を示す略線図である。
【図２５】第１の実施の形態によるフォトディテクタの変形例（１）を示す略線図である。
【図２６】第１の実施の形態によるフォトディテクタの変形例（２）を示す略線図である。
【図２７】第２の実施の形態によるフォトディテクタの構成を示す略線図である。
【図２８】非対称記録層におけるスポットの説明に供する略線図である。
【図２９】方向の定義の説明に供する略線図である。
【図３０】第２の実施の形態による層間迷光の受光を示す略線図である。
【図３１】第３の実施の形態によるフォトディテクタの構成を示す略線図である。
【図３２】第３の実施の形態による層間迷光の受光を示す略線図である。
【符号の説明】
【０２１６】
１……光ディスク装置、１９……信号演算部、２０……光ピックアップ、２０、２１……分割導光板、３２、７０、７１、９０……フォトディテクタ、３２Ａ〜３２Ｍ……検出領域、４１……分割導光パターン切換部、１１……システムコントローラ、２１……光集積素子、３２……フォトディテクタ、３２Ａ〜３２Ｍ、３２Ｃａ、３２Ｄａ……検出領域、３２Ｘ、３２Ｘ１、３２Ｘ２、３２Ｘａ、３２Ｘａ１、３２Ｘａ２、３２Ｙ、３２Ｙ１、３２Ｙ２、３２Ｙａ、３２Ｙａ１、３２Ｙａ２、３２Ｖ、３２Ｖ１、３２Ｖ２、３２Ｚ、３２Ｚ１、３２Ｚ２、９０Ｘ、９０Ｙ……迷光用検出領域、４４……フォーカスサーボ用ホログラム、４５……アクティブ波長板、４６、４７……分割導光部、４６Ａ〜４６Ｄ、４７Ａ〜４７Ｇ……導光領域、１００……光ディスク、Ｌ１２、Ｌ１３、Ｌ１４、Ｌ１５……反射光ビーム、Ｌ１６Ａ〜Ｌ１６Ｄ、Ｌ１７Ａ〜Ｌ１７Ｇ……分割光ビーム、Ｐ１Ａ〜Ｐ１Ｄ、Ｐ２Ａ〜Ｐ２Ｆ、Ｐ１１Ａ〜Ｐ１１Ｄ、Ｐ１２Ａ〜Ｐ１２Ｇ……ビームスポット、ＬＢ、ＬＢ０、ＬＢ１……層間迷光、ＬＢＧ１……中央迷光領域。
【図１】
2008287851.tif 000012
【図２】
2008287851.tif 000013
【図３】
2008287851.tif 000014
【図４】
2008287851.tif 000015
【図５】
2008287851.tif 000016
【図６】
2008287851.tif 000017
【図７】
2008287851.tif 000018
【図８】
2008287851.tif 000019
【図９】
2008287851.tif 000020
【図１０】
2008287851.tif 000021
【図１１】
2008287851.tif 000022
【図１２】
2008287851.tif 000023
【図１３】
2008287851.tif 000024
【図１４】
2008287851.tif 000025
【図１５】
2008287851.tif 000026
【図１６】
2008287851.tif 000027
【図１７】
2008287851.tif 000028
【図１８】
2008287851.tif 000029
【図１９】
2008287851.tif 000030
【図２０】
2008287851.tif 000031
【図２１】
2008287851.tif 000032
【図２２】
2008287851.tif 000033
【図２３】
2008287851.tif 000034
【図２４】
2008287851.tif 000035
【図２５】
2008287851.tif 000036
【図２７】
2008287851.tif 000037
【図２８】
2008287851.tif 000038
【図２９】
2008287851.tif 000039
【図３０】
2008287851.tif 000040
【図３１】
2008287851.tif 000041
【図３２】
2008287851.tif 000042
【図２６】
2008287851.tif 000043